(57)【特許請求の範囲】
【請求項１】
ケーブル巻き取り面を形成し、並びに少なくとも１個の渦巻き状スプリング（７４、７４′）及び少なくとも１個のスプリングアンカーハブ（８０、８０′）を含むハウジングが備えられた予め組立てられたドラムコア（１２）を有し、この予め組立てられたドラムコアには軸を持たずに真っ直ぐ貫通して通る軸管が設けられており、及び前記スプリングアンカーハブ（８０，８０′）は前記軸管内に渦巻状スプリング（７４，７４′）によって実質的に軸方向に維持されており、
前記スプリングアンカーハブ（８０、８０′）の内面長手方向にキー溝（８６，８６′）が設けられ、このキー溝（８６，８６′）は前記予め組立てられたドラムコア（１２）の長手方向側面に開口しており、
前記予め組立てられたドラムコア（１２）のいずれかの側面から前記軸管中へ挿入可能の独立的な軸（１６）を有し、前記予め組立てられたドラムコア（１２）の長手方向側面から前記スプリングアンカーハブ（８０、８０′）のキー溝(８６，８６′)にキー（８４，８４′）を緩く嵌め込んだ後、前記軸（１６）の前記軸管中への挿入によって、いずれの側面からの挿入の場合でも、前記スプリングアンカーハブ（８０、８０′）と前記軸（１６）との間に形状嵌合回転連結が確立することを特徴とする、スプリング駆動型ケーブルドラム組立キット。
【請求項２】
前記予め組立てられたドラムコア（１２）へ、それぞれが前記ドラムコア（１２）中の前記軸管に１つの出口孔を形成させている２個のサイズの等しいボールベアリング（３２、３２′）が備えられることを特徴とする請求項１記載の組立キット。
【請求項３】
前記軸（１６）の一方の端部へ固定でき、かつ前記２個のボールベアリング（３２、３２′）の内側リングとスライド嵌合を形成する大きさにされた円筒形の伸張部をもつ固定フランジを含むことを特徴とする請求項２項記載の組立キット。
【請求項４】
固定フランジが配される側とは反対側のボールベアリング（３２′）の内側リング中へ挿入され、かつこの内側リングとスライド嵌合を形成する大きさにされたブシュ（１８）を含むことを特徴とする請求項３項記載の組立キット。
【請求項５】
前記ブシュ（１８）を前記軸上（１６）にロックするロック手段を構成部分として含むことを特徴とする請求項４項記載の組立キット。
【請求項６】
前記軸（１６）の他方の端部へクランプ締めされた固定型スリップスタック（５２）と、
コレクタ（５６）を備えるスリップリングハウジング（６０）を備えたスリップリングユニット（２２）を含み、及び
前記スリップリングユニット（２２）を所望される巻き解き方向次第で前記予め組立てられたドラムコア（１２）のいずれの側面上にも取り付けられるように、前記予め組立てられたドラムコア（１２）は、前記スリップリングユニットハウジング（６０）のために、両側に取付け手段を備えていることを特徴とする請求項３に記載の組立キット。
【請求項７】
前記予め組立てられたドラムコア（１２）が、
第一スプリングカセット（７２′）と、第一渦巻き状スプリングの外側端部が前記第一スプリングカセット上に据えられた該第一渦巻き状スプリング（７４′）から成る第一スプリングユニット（７０′）、
前記軸管中において前記第一渦巻き状スプリング（７４′）の前記外側端部によって軸の周りに支持される第一スプリングアンカーハブ（８０′）、
第二スプリングカセット（７２′）と、第二渦巻き状スプリング（７４）の外側端部が前記第二スプリングカセット（７０）上に据えられた該第二渦巻き状スプリング（７４）から成る第二スプリングユニット（７０′）、及び
第二スプリングアンカーハブ（８０）から構成されることを特徴とする請求項１〜６のいずれかに記載の組立キット。
【請求項８】
前記第二スプリングアンカーハブ（８０）が前記軸管中において前記第二渦巻き状スプリング（７４）の外側リングによって軸の周りに支持され、
前記軸（１６）が前記軸管中へ挿入される時に、前記第一スプリングアンカーハブ（８０′）と前記軸（１６）との間、及び前記第二スプリングアンカーハブ（８０）と前記軸（１６）との間に形状嵌合回転連結が形成され、及び
前記第一及び第二渦巻き状スプリング（７４、７４′）が並列に連結されるように、前記２個のスプリングカセット（７２、７２′）が前記ドラムコア（１２）のハウジングへ回転伝達しうるように固定されることを特徴とする請求項７項記載の組立キット。
【請求項９】
前記ドラムコア（１２）のハウジングへ少なくとも１個のスプリングカセット（７２，７２′）を回転伝達しうるように固定するためのピン（９０）を少なくとも１個含むことを特徴とする請求項８項記載の組立キット。
【請求項１０】
前記第二スプリングアンカーハブ（８０）が前記第一スプリングカセット（７２′）へ回転伝達しうるように固定され、
前記軸管への前記軸（１６）の挿入によって前記第一スプリングアンカーハブ（８０）と軸（１６）との間には形状嵌合連結が生ずるが、前記第二スプリングアンカーハブ（８０）と軸（１６）との間には前記形状嵌合連結は生ぜず、及び
前記第一及び第二渦巻き状スプリング（７４，７４′）が直列に連結されるように、前記第二スプリングカセット（７２）は前記ドラムコア（１２）のハウジングへ回転伝達しうるように固定されるが、前記第一スプリングカセット（７２′）は前記ハウジングへ固定されないことを特徴とする請求項７項記載の組立キット。
【請求項１１】
前記予め組立てられたドラムコア（１２）のハウジングが円筒形状体であり、前記ドラムコアのシェルによってケーブルの巻き取り面が直接形成されることを特徴とする請求項１〜１０のいずれかに記載の組立キット。
【請求項１２】
一組の円形板（２０，２０′）を含み、これら円形板の１枚が前記予め組立てられたドラムコア（１２）の側面へそれぞれ取り付けられることを特徴とする請求項１０項記載の組立キット。
【発明の詳細な説明】
【技術分野】
【０００１】
本発明はケーブルドラム全般及び特にかかるドラムの組立キットに関する。
【背景技術】
【０００２】
公知のケーブルドラムには、ベアリングに支持されて駆動軸上を自由に回転し、かつ２つの円形横板間にケーブルの巻取り面を形成するドラム体が含まれている。巻き解かれている間ケーブルが初期張力下の状態を保持するように、１または２以上の渦巻き形スプリングによって巻き解かれる方向と反対方向へ作用力が加えられる。派生的装置として、左へ巻き解くように設計されたケーブルドラム、及び右へ巻き解くように設計されたケーブルドラムがある。
【０００３】
保管管理の簡略化のため、ＥＰ０８０２６０１では所望の方向へ巻き解きできるように切り替え可能なスプリング駆動型ケーブルドラムが提案されている。これらケーブルは基本的に、ケーブルの巻き取り面を形成するドラムシェル、一方がベアリングを併入した２枚の側部ドラム板、共通の駆動軸をもつスリップリングユニット、この駆動軸自由端のための側部固定フランジ、スプリングアンカーハブ上方で前記駆動軸上へ押し付けらける封入型スプリングカセット、及びスプリングナットを前記駆動軸上へ固定する締め付けつばから構成される。左から右への巻き解き方向の変更が望まれるならば、前記固定フランジを外し、ドラム板及びベアリングを駆動軸から引き出す。次いで前記スプリングカセット及びスプリングアンカーハブ、さらには締め付けつばをドラムシェルから取り出す。次いで前記スプリングカセット、スプリングアンカーハブ、及び締め付けつばを１８０°回転させ、逆の順序で再度共通駆動軸上へ押しつける。最後にドラム板をベアリングとともに、さらに固定フランジを再度取り付ける。この切り替えは比較的複雑な作業であるため、通常は専門家によって実施されるべきである。
【発明の開示】
【発明が解決しようとする課題】
【０００４】
本発明は、エンドユーザーが、すべてが一体化された組立キットを用いて最も簡単な方法で左へ巻き解くケーブルドラム及び右へ巻き解くケーブルドラムを組み立てることができるケーブルドラム組立キットを提供することを目的とする。かかる課題は請求項１項記載の組立キットによって達成される。
【課題を解決するための手段】
【０００５】
本発明に従ったスプリング駆動型ケーブルドラム組立キットは予め組立てられたドラムコアから成り、前記ドラムコアのハウジングにはケーブルの巻き取り面を形成し及び少なくとも１個の渦巻き状スプリング及び少なくとも１個のスプリングアンカーハブが含まれ、前記予め組立てられたドラムコアには該コアを貫通して真っ直ぐ通る軸のない軸管及び事実上この管へ固定されているスプリングアンカーハブが備えられている。この組立キットには前記予め組立てられたドラムコアのいずれかの側面から前記軸管中へ挿入可能な分離された軸が与えられ、前記軸のいずれかの方向への挿入によってもスプリングアンカーと軸との間に形状嵌合回転連結が形成されるように設計されている。このキットを用いれば、前記予め組立てられたドラムコア全体を回転させることにより、可能な最も簡単な方法でケーブルドラムの巻き解き方向を決定する手段が与えられる。本発明に従った組立キットは極めて容易かつ安全に包装して発送可能であることに注目すべきである。
【０００６】
前記スプリングアンカーハブと軸との間に形成された形状嵌合回転連結は例えばスプラインまたはキーで構成することができる。好ましくは円筒形のキーを用い、スプリングアンカーハブ中の長手方向の孔中へ緩く嵌め込み、軸に縦方向の円筒形キー溝を設ける。
【０００７】
前記予め組立てられたドラムコアには、好ましくは同一サイズでそれぞれが軸の出口孔を構成してケーブルドラムを対称的に支持する２つのボールベアリングが備えられる。
【０００８】
本発明に係る組立キットの標準型にはさらに、軸の一方の端部へ固定され、あるいは固定可能な固定フランジが含まれる。次いでこの固定フランジには、前記ボールベアリングの内側リングとぴったりスライド嵌合できるサイズの円筒形の伸張部が有利に設けられる。次いで他のボールベアリングの内側リング中には同じくこの内側リングとぴったりスライド嵌合できるサイズのブシュが有利に嵌め込まれる。
【０００９】
殆どの用途に対して、前記組立キットにはさらに軸の他端へクランプ締めされた固定スリップリングスタック及びスリップリングユニットハウジングとともにスリップリングユニットが含まれている。予め組立てられたドラムコアの各側面には前記スリップリングユニットハウジングの取付け手段が設けられるので、所望する巻き解き方向次第で前記スリップリングユニットを予め組立てられたドラムコアのいずれの側面へも固定することができる。
【００１０】
前記予め組立てられたドラムコア内部には通常２つのスプリング装置が配置されている。第一のスプリングユニットには第一スプリングカセット及び第一渦巻き状スプリングが含まれ、前記第一渦巻き状スプリングの外側端部は前記第一スプリングカセットによって支持されている。第二スプリングユニットには第二スプリングカセット及び第二渦巻き状スプリングが含まれ、前記第二渦巻き状スプリングの外側端部は前記第二スプリングカセットによって支持されている。第一スプリングアンカーハブは前記軸管と同軸上に前記第一渦巻き状スプリングの内側端部によって支持されている。
【００１１】
第一の実施態様においては、第二スプリングアンカーハブは軸管中において軸の周りに前記第二渦巻き状スプリングの内側端部によって支持される。軸が軸管中へ挿入されると、前記第一スプリングアンカーハブと軸との間及び前記第二スプリングアンカーハブと軸との間に形状嵌合回転連結が形成される。この第一の実施態様においては、ドラムコアへ該ドラムコアに対して回転不能なスプリングカセット双方が取り付けられるので、前記第一及び第二渦巻き状スプリングは並列に連結される。ドラムコアのハウジングに対して回転不能なスプリングカセットの少なくとも一方を取り付けるために、組立キットには少なくとも１個のロックピンが有利に備えられる。
【００１２】
第二の実施態様においては、第一スプリングカセットに対して回転不能である第二スプリングアンカーハブが該第一スプリングカセットへ取り付けられる。軸が前記軸管中へ挿入されると、形状嵌合連結は前記第一スプリングアンカーハブと軸との間には形成されるが、前記第二スプリングアンカーハブと軸との間には形成されない。この実施態様においては、回転不能な第二スプリングカセットがドラムコアへ固定されるが該第二スプリングカセットはドラムコアへ固定されないため、前記第一及び第二渦巻き状スプリングは直列に連結される。
【００１３】
前記予め組立てられたドラムコアは好ましくは円筒体上へ搭載され、該ドラムコアの外面によってケーブルの巻き取り面が直接形成される。組立キットには一組の円形板が含まれており、該円形板を前記予め組立てられたドラムコアの各側面へ１個ずつ取り付けることができる。様々なサイズ及びデザインの円形板をドラムコア上へ螺子で取り付けることができるので、単一のドラムコアで広範囲な用途への利用が可能である。かかる構成により、ドラムコアへの取り付け前の円形板を輸送中の損傷から保護することが極めて容易になっている。
【発明を実施するための最良の形態】
【００１４】
以下において、添付図面を参照しながら本発明について詳細に説明する。
【００１５】
図面中に示されたスプリング駆動型ケーブルドラム１０は本発明に従った組み立てキットから組立てられる。このケーブルドラムには、予め組立てられたドラムコア１２、固定フランジ１４、軸１６、ブシュ１８、一対の円形板２０、２０′、及びスリップリングユニット２２が必須的に必要とされる。
【００１６】
前記予め組立てられたドラムコア１２には、基本構造として２枚の端板２６、２６′及び曲面板２８から成る円筒形のハウジングが含まれている。前記２枚の端板２６、２６′は螺子付ロッド（図示せず）によって軸方向に互いに保持されている。前記曲面板２８は前記２枚の端板２６、２６′の間にクランプ締めされてケーブルの巻き取り面を形成している。この巻き取り面には、螺子３０（破線で表示されている）を用いて端板２６、２６′へ固定された前記２枚の円形板２０、２０′によって側部に境界が設けられている。前記端板２６、２６′のそれぞれは、その外側リングが孔中へ押し付けられる状態でボールベアリング３２、３２′上へ載せられる。前記２個のボールベアリング３２、３２′は同一であり、特にベアリングの内径が同一である。これらベアリングによって前記予め組立てられたドラムコア１２中の軸管端部に開口部が形成される。
【００１７】
前記固定フランジ１４は固定板３４と、軸１６を収容するように中心に孔が設けられたソケット３６から構成される。前記軸１６には該ソケット中の前記孔中へ挿入され、かつ締付け螺子３９を用いてそこに支持される組立端部３８が備えられている。ソケット３６の前端は、ボールベアリング３２の内側リング中にぴったりしたスライド嵌合ができるような大きさの円筒伸張部４０の形状を呈している。前記内側リング４２は同軸上に位置し、ソケット３６の肩面４４へ接触している。前記端板２６とソケット３６との間の環状の割れ目はリップシール４６によって密閉されている。
【００１８】
前記第二ボールベアリング３２′には、同様に該ボールベアリング３２′の内側リング４２′中にぴったりなスライド嵌合を形成するような大きさであるブシュ１８が収容される。ブシュ１８は軸１６に沿ってスライドでき、そしてその肩部表面４４′がボールベアリング３２′の内側リング４２′と接触することで位置決めがなされている。軸１６の他方の端部５０はブシュ１８の外へ突き出している。ブシュ１８は保持リング５１を用いて軸１６上の長手方向の適正位置に支持される。従って、長手方向に固定されたブシュ１８はそれと反対側にある固定フランジの肩部４４と接触しているボールベアリング３２の内側リング４２と共に予め組立てられたドラムコア１２を支持する。前記保持リング５１には例えばＤＩＮ４７１に適合する保持リングを用いることができる。
【００１９】
スリップリングユニット２２は、その必須構成部分であるスリップリングスタック５２、コレクタブラシ５６、及び２部分から成る密閉型ハウジング６０から構成される。スリップリングスタック５２はロック螺子６２によって軸１６の第二端部５０へ固定される。ハウジング６０は螺子６６を用いて端板２６′へ螺子固定される。コレクタブラシ５６はハウジング６０へ固定される。ドラムコア１２が軸１６を中心に回転すると、コレクタブラシ５６はその結果として静止しているスリップリングスタック５２の周囲を回転する。
【００２０】
ドラムコア１２の内部には、２個のスプリングユニット７０、７０′が２枚の端板２６、２６′間に一方が他方の後方になるように軸方向に配置されている。スプリングユニット７０、７０′のそれぞれには、スプリングカセット７２、７２′と該スプリングカセット７２、７２′中に封入された渦巻き状スプリング７４、７４′が含まれている。図２及び３に示すように、渦巻き状スプリング７４、７４′それぞれの外側端部７６、７６′はスプリングカセット７２、７２′中のアンカーストリップ７８、７８′と噛み合っている。渦巻き状スプリング７４，７４′それぞれの最も内側の渦巻き状コイル７９、７９′の内部にはスプリングアンカーハブ８０、８０′が設けられている。渦巻き状スプリング７４、７４′の内側端部はそのスプリングアンカーハブ８０、８０′の肩面８１、８１′上に着座している。尚、軸１６が取り外された時、渦巻き状スプリング７４、７４′それぞれのスプリングアンカーハブ８０、８０′は予め組立てられたドラムコア１２の軸１６の存在しない軸管の軸線上へ事実上支持される。
【００２１】
前記スプリングアンカーハブ８０、８０′のそれぞれには該ハブを貫通するように空けられた軸１６のための孔８２、８２′が設けられている。このケースでは、キー８４、８４′を用いて、前記スプリングアンカーハブ８０、８０′と、軸１６を駆溝へ挿入することにより、軸１６との間に形状嵌合連結を形成して、前記スプリングアンカーハブ８０、８０′を用いて渦巻き状スプリング７４、７４′の内側端部を静止している軸１６へ固定することができる。前記キー８４、８４′は好ましくはスプリングアンカーハブ８０、８０′中のキー溝８６、８６′中へ押し込まれた円筒形キーであるべきである。これらのキー溝８６、８６′は、前記円筒形キー８４、８４′の一部が前記孔８２、８２′中へ突き出るように、スプリングアンカーハブ８０、８０′中に前記孔８２、８２′の長手方向に沿って配置される。軸１６が挿入されると、円筒形キー８４、８４′は軸１６の外面に長手方向に作られた円筒形キー溝８８と相互に作用し合う。これにより、スプリングアンカーハブ８０または８０′と、この場合、軸１６との間に形状嵌合連結が形成される。しかしながら、キーがスプリングアンカーハブ８０、８０′のキー溝８６中に挿入されなければ、これらスプリングアンカーハブ８０、８０′を軸１６に対して回転させることが可能である。
【００２２】
図１〜３に示した実施態様では、キー８４、８４′はスプリングアンカーハブ８０、８０′それぞれのキー溝８６、８６′中へ挿入されている。スプリングカセット７２，７２′もまた回転不能な状態で前記ハウジングへ取り付けられる。このため、スプリングカセット７２′を例えば螺子８９を用いて前記端板２６′へ締め付け、及びスプリングカセット７２をピン９０を用いて回転できないように固定することができる。かかる方法により、２個の渦巻き状スプリング７４、７４′を並列に連結して、それらの有効スプリング作用力を倍加させることができる。
【００２３】
図４〜６に示した実施態様では、キー８４′がスプリングアンカーハブ８０′のキー溝８６′中へ挿入される。しかしながらスプリングカセット７２′が螺子で取り付けられているスプリングアンカーハブ８０のキー溝８６は空である。スプリングカセット７２は回転不能な状態でドラムコア１２へ取り付けられているが、他方スプリングカセット７２′は回転可能に取り付けられている。かかる方法により、２個の渦巻き状スプリング７４，７４′は直列に連結されて有効反発能が倍加されている。
【００２４】
スプリングユニット７０、７０′を引き出さなくても、さらにドラムコア１２を開かなくてもスプリング駆動型ケーブルドラム１０の巻き解き方向を逆にできることに注目すべきである。実際、スプリング駆動型ケーブルドラム１０の巻き解き方向は単に固定フランジ１４をドラムコア１２の側面Ａあるいは側面Ｂのいずれかへ取り付けるだけで調整可能である。図１または２に示したスプリング駆動型ケーブルドラム１０の巻き解き方向を逆にするために必要とされる操作は、スリップリングユニット２２を取り外し、次いでドラムコア１２を軸１６から引き離し、ボールベアリング３２′からブシュ１８を引き出し、軸１６上へドラムコア１２を配置し直す前に該ブシュ１８を今度は固定フランジ１４に面する側面Ｂを用いてボールベアリング３２中へ挿入し、ドラムコア１２の側面Ａ上へスリップリングユニット２２を設置するだけである。
【００２５】
本発明に従ってスプリング駆動型ケーブルドラム組立キットは、予め組立てられたドラムコア１２、軸１６、円形板２０、２０′、及びスリップリングユニット２２を部品として別個に木枠中に包装できるので、簡単かつ安全に輸送用に包装可能であることにも注目すべきである。
【００２６】
本発明のスプリング駆動型ケーブルドラムは購入者によって極めて容易に組立可能であり、組立中にさらなる費用を要せずに単にドラムコア１２の側面Ａまたは側面Ｂのいずれかを固定フランジ１４の反対側へ配置するだけでスプリング駆動型ケーブルドラム１０の巻き解き方向を選択することが可能である。
【００２７】
種々サイズ及び形式の円形板２０、２０′をドラムコア１２上へ螺子により取り付けることができるため、単一のドラムコア１２を広範囲な用途へ利用することが可能である。
【００２８】
上記したように渦巻き状スプリング７４、７４′を並列あるいは直列に連結することにより、最も簡単な方法でそれらスプリングのスプリング作用力あるいは保持性能をそれぞれ倍加することが可能である。
【図面の簡単な説明】
【００２９】
【図１】並列に連結された２個の渦巻き状スプリングを備えたスプリング駆動型ケーブルドラムの縦断面図である。
【図２】図１に示す破線２−２′に沿った断面図である。
【図３】図１に示す破線３−３′に沿った断面図である。
【図４】直列に連結された２個の渦巻き状スプリングを備えたスプリング駆動型ケーブルドラムの縦断面図である。
【図５】図４に示す破線５−５′に沿った断面図である。
【図６】図４に示す破線６−６′に沿った断面図である。
【図１】
0004660469.tif 000002
【図２】
0004660469.tif 000003
【図３】
0004660469.tif 000004
【図４】
0004660469.tif 000005
【図５】
0004660469.tif 000006
【図６】
0004660469.tif 000007